(57)【要約】  本発明は回転式栽培装置に関し、さらに詳しくは、複数の支持リングが吊り棒で連結された細長い回転体を一側の下部で駆動モータによって減速回転するシャフトと、複数の位置でギア噛合構造によって回転するので、回転体の長さを最大の長方形に形成しても、回転体が全体的に捻れることを防止しながら、一定に回転して各種の植物を大量に栽培できるようにすることによって、空間の活用性、経済性を向上するとともに、装置の負荷、損傷を最小化して耐久性を向上し、さらに、上記回転体の支持リングを案内ロールと連動ギアによって支持する構造、補強ワイヤで支持する構造によって、装置の変形による損傷を防止し、リングギヤの分割構造、支持リングと吊り棒の補強結合構造などによって、装置の堅固性を向上することによって、使用上の信頼性を向上する。  【選択図】図３
2010524461.tif 000002
【特許請求の範囲】
【請求項１】
回転軸の長手方向に沿って所定の間隔に設置される複数の支持リングと、上記各支持リングの円周上に等間隔に連設される吊り棒とで構成される回転体を備え、上記回転体を駆動手段によって回転しながら、上記吊り棒の上に設置される各種の植物を栽培する栽培トレイを回転移動させて栽培する回転式栽培装置において、
上記回転体には、複数の支持リングの外周縁にリングギヤを結合して、補助支持台の左右に設置される連動ギアに噛合されて支持され、
上記回転体の一側の下部には、中央で駆動モータによって減速回転するシャフトを回転体の長手方向に沿って設置して、上記シャフト上の駆動ギアと上記補助支持台の連動ギアとが互いに噛合して連結されて、回転体を全体的に回転することを特徴とする回転式栽培装置。
【請求項２】
上記支持リングに固設されるリングギヤは、円周上に等角で分割された分割ギアに結合して形成され、上記分割ギアの両端に突起部及び凹部を対向して形成して、互いに挿入されて連設することを特徴とする請求項１に記載の回転式栽培装置。
【請求項３】
上記回転体は、複数の支持リングの内側及び外側の円周上に交互に連結フックを設置して、補強ワイヤで連続的に連結して支持するように構成されることを特徴とする請求項１に記載の回転式栽培装置。
【請求項４】
上記回転体の支持リングと吊り棒との結合部には、補強及び栽培トレイの支持台が支持リング側に移動するのを防止するように係止作動する「Ｌ」字状の補強ブラケットを結合して構成することを特徴とする請求項１に記載の回転式栽培装置。
【請求項５】
上記回転体の下部へ水が流れる水槽を形成して、上記回転体の吊り棒に吊り下げられて設置される栽培トレイが回転しながら、水槽の内部に浸って栽培することを特徴とする請求項１に記載の回転式栽培装置。
【請求項６】
上記各支持リングの内側には、離間して補助支持リングを固設し、上記各補助支持リングは円周上に等間隔に設置される吊り棒で連結されて、上記吊り棒上に各種の植物を栽培する栽培トレイを設置して回転しながら栽培するように構成されることを特徴とする請求項１に記載の回転式栽培装置。
【発明の詳細な説明】
【技術分野】
【０００１】
本発明は回転式栽培装置に関し、さらに詳しくは、所定の間隔を有する複数の支持リングの円周上に吊り棒を設置した細長い回転体を回転しながら、上記吊り棒に栽培植物を栽培する栽培トレイを吊り下げて栽培することによって、空間の活用及び労動力の效率化を図るとともに、大量栽培を可能にし、上記長方形の回転体が全体的に一定に回転しながら、捻れによる変形の防止及び装置の作動負荷を最小化することで、使用效率性を向上する回転式栽培装置に関する。
【背景技術】
【０００２】
最近、各種の植物（蔬菜類、野菜類、水耕類など）は四季栽培しており、露地の外にビニールハウスやガラス温室などでたくさん栽培している。
【０００３】
この場合、上記栽培植物は、水分、温度、風などの栽培環境及び栄養供給が全体的にバランスよく提供されてこそ、植物の所望の成長及び促成栽培をするとともに、優れた品質及び味を提供することになる。
【０００４】
ところが、上記した従来のビニールハウスやガラス温室などは、内部の上下温度差が一定しなくて、日光や水分、風などの栽培環境が上下空間によって差があるため、ビニールハウスやガラス温室の内部で均一な成長は難しく、一部の植物は発育が遅れて、品質や味が顕著に落ちるなどの問題点があった。
【０００５】
さらに、従来のビニールハウスやガラス温室などのように、多くの施設及び管理費を投資しながらも極めて制限された空間で極めて制限された量の植物を栽培するため、植物の栽培コストが上がるなどの問題点があった。
【０００６】
このような問題点を解決するために、本出願人は、図１及び図２に示す多目的回転装置を先願において提案した。
【０００７】
それは、両側の支持台２、２の上に駆動モータＭによって回転する回転軸３を設け、上記回転軸には、所定の間隔で軸設された複数の支持円板６と、上記支持円板の間の円周上に連設される複数の吊り棒７とで構成された回転体５を含む。また、上記回転体５の支持円板６で、中央に位置する支持円板は補助支持台８の左右に設置されるローラ９によって垂れることを防止するように設置される。
【０００８】
このような多目的回転装置は、上記回転体５の吊り棒７に各種の植物が栽培される栽培トレイ４を支持台によって設置することで、上記ビニールハウスやガラス温室などの空間で上記回転体５の回転によって栽培トレイ４が上下空間に回転移動しながら栽培するので、温度及びその他の日光や水分、風などの栽培環境を全体的に一定に提供して、均一な成長を図るとともに品質と味が優れるように栽培することができる。
【０００９】
しかし、上記本出願人によって先出願された多目的回転装置は、以下のような改良すべき課題が残されていた。
【００１０】
上記回転体５の回転を回転軸３の一側端部で駆動モータによって駆動力を伝達して行うため、回転軸の他側端部では動力伝達過程中において発生される負荷によって捻れ現象がひどく発生して、これにより装置の負荷集中及び装置の損傷などが誘発され、同時に、回転体の回転效率も顕著に低下するという課題があった。
【００１１】
また、上記のように、回転軸の捻れ、負荷集中などによって、回転軸を長方形に長く形成することができないため、回転体の大きさが制限されて、使用上の效率性が非常に低下するという課題があった。
【００１２】
即ち、上記回転体を複数に分割して、各回転体をそれぞれ回転させて使用しなければならないので、回転体の製作コストが上昇し、かつ、施設、管理による困難が深刻な課題として現われた。
【発明の概要】
【発明が解決しようとする課題】
【００１３】
本発明は上記の従来技術及び本出願人によって先出願された技術が有する諸般の課題を解決するために創出されたもので、回転体の長さを最大の長方形に形成するにもかかわらず、回転体が全体的に捻れることを防止し、一定に回転するように設けて、空間の活用性、経済性を向上し、同時に、装置の負荷、損傷を最小化することによって耐久性を向上することを目的とする。
【００１４】
また、本発明は、回転体を構成する各部品の組み立て構造、支持構造を改善して部分修理が容易になるとともに、堅固性を向上させることを目的とする。
【００１５】
また、本発明は回転体の下部に水路を形成して、回転体の回転によって、回転体上の栽培トレイが水路を繰り返し通過しながら、植物に水分を供給したり、その他の水耕栽培を行うことができて、使用上の信頼性を向上することを目的とする。
【課題を解決するための手段】
【００１６】
上記課題を解決する本発明に係る回転式栽培装置は、回転軸の長さ方向に設置される複数の支持リングと、上記各支持リングに連設される吊り棒とで構成された回転体を回転しながら、吊り棒上に設置される各種の植物を栽培する栽培トレイを吊り下げて栽培し、上記回転体には、複数の支持リングの外周縁にリングギヤを結合して、上記回転体の一側の下部に駆動モータによって減速回転するシャフト上の駆動ギアと互いに噛合されて、回転体を全体的に回転することを特徴とする。
【００１７】
上記回転式栽培装置は、各リングギヤが、互いに両端に形成された突出部と凹部を含み、且つ、同一の大きさ及び形状に形成された複数のギヤ部を含むことを特徴とする。
【００１８】
また、本発明は、上記回転体の支持リングの内側及び外側の円周上に連結フックを設けて、補強ワイヤで連続的に連結されることを特徴とする。
【００１９】
また、本発明は、上記回転体の支持リングと吊り棒との結合部に補強及び栽培トレイが支持リング側に移動することを防止する「Ｌ」字状の補強ブラケットを結合することを特徴とする。
【００２０】
また、本発明は、上記回転体の下部へ水が流れる水槽を形成して、上記回転体の吊り棒に吊り下げられる栽培トレイが回転するとともに、水槽の内部に浸れて水分を供給することを特徴とする。
【００２１】
また、本発明における回転体は、各支持リングの中に間隔を隔てて固設される複数の補助支持リングと、補助支持リング上に、補助支持リングを互い連結するために、補助支持リングの円周方向に沿って等間隔に設置された複数の補助吊り棒とを含むことを特徴とする
【発明の効果】
【００２２】
本発明の回転式栽培装置によれば、回転体の長さを最大の長方形に形成しても、回転体が全体的に捻れることを防止し、同時に、一定に回転して各種の植物を大量に栽培できるようにすることによって、空間の活用性、経済性を向上し、同時に、装置の負荷及び損傷を最小化して耐久性を向上する效果を奏する。
【００２３】
また、本発明は、支持リングを案内ロ−ルと連動ギアとによって支持する構造、補強ワイヤで支持する構造によって、装置の変形による損傷を防止し、リングギヤの分割構造、支持リングと吊り棒の補強結合構造などによって堅固性を向上することによって、使用上の信頼性が非常に向上する效果を奏する。
【図面の簡単な説明】
【００２４】
【図１】本出願人によって先出願された栽培装置を示す側面図
【図２】図１の正面図
【図３】本発明の全体構成を示す斜視図
【図４】本発明の一部構成を示す側面図
【図５】本発明の要部構成を示す側面図
【図６】本発明のリングギヤが設置された支持リングを示す正面図
【図７】本発明のリングギヤが設置された支持リングを示す側面図
【図８】本発明のリングギヤが設置されていない支持リングを示す正面図
【図９】本発明のリングギヤが設置されていない支持リングを示す側面図
【図１０】本発明の他の実施形態を示す要部の部分図
【図１１】本発明の他の実施形態を示す正面図
【図１２】本発明の他の実施形態を示す正面図
【図１３】本発明の設置使用状態を示す正面図
【発明を実施するための形態】
【００２５】
以下、本発明の好ましい実施形態を添付された図面を参照して具体的に説明する。
【００２６】
即ち、本発明の多目的回転装置は、図３〜図９に示したように、回転軸１５の長さ方向に沿って所定の間隔に設置される複数の支持リング２０と、上記各支持リングの円周上に等間隔に連設される吊り棒２５とで構成された回転体１０を備え、上記回転体を駆動手段によって回転しながら、上記吊り棒２５上に設置される各種の植物を栽培する栽培トレイを回転移動させて栽培するように構成される。
【００２７】
特に、上記回転体１０には、複数の支持リング２０の外周縁にリングギヤ３０を結合して、補助支持台４０の左右に設置される連動ギア４２に噛合されて支持されるように構成し、上記回転体１０の一側の下部には、中央で駆動モータＭによって減速回転するシャフト５０を回転体１０の長手方向に沿って設置して、上記シャフト５０上の駆動ギア５２と上記補助支持台の連動ギア４２とが互いに噛合して回転体を全体的に回転する。
【００２８】
この場合、上記回転体１０は、複数の支持リング２０の中にリングギヤ３０が結合される支持リングと、図８及び図９に示す補助支持台４０’の左右に設置される案内ロール４１に支持される支持リングとが交互に位置するように構成することが好ましい。また、上記駆動モータＭは、減速機５１の減速軸とシャフト５０に軸設されたスプロケットとをチェーン連結してシャフトを減速駆動するように構成される。
【００２９】
また、上記支持リング２０に締結ボルトやその他の方式によって固設されるリングギヤ３０は、円周上に等角に分割された分割ギア３２で結合して形成するが、上記分割ギア３２の両端に突起部３３及び凹部３４を対向して形成して、互いに挿入されるように連結する。
【００３０】
また、上記回転体１０は、複数の支持リング２０の内側及び外側の円周上に交互に連結フック５５を設置して、補強ワイヤ５６を「一」字状または「Ｘ」字状に連続するように連結する。
【００３１】
また、本発明は、図１０に示したように、上記回転体１０の支持リング２０と吊り棒２５との結合部位で補強したり、及び栽培トレイ２６の支持台２７が支持リング側に移動することを防止するように、係止作動する「Ｌ」字状の補強ブラケット６０を結合する。
【００３２】
また、本発明は、図１１に示したように、上記回転体１０の下部へ水が流れる水槽７０を形成して、上記回転体１０の吊り棒２５に吊り下げられて設置される栽培トレイ２６が回転しながら水槽の内部に浸って栽培する。もちろん、上記水槽７０は、地面の上部に別途に形成したり、地面に畝間を形成して製作することもできる。
【００３３】
説明のない符号１００はビニールハウスを示す。
【００３４】
次に、上記のように構成される本発明の作動及び作用について説明する。
【００３５】
本発明の装置は、図１３に示したように、ビニールハウス１００やガラス温室などの内部に設置して使用することが好ましい。
【００３６】
即ち、ビニールハウスやガラス温室の内部で、長方形の回転体１０を回転しながら、上記回転体の支持棒２５の上に吊り下げられて設置される各種の植物を栽培する栽培トレイ２６を回転移動させて、上部または側方のスプリンクラーで供給される水によって各種の植物を栽培する。
【００３７】
まず、上記回転体１０の駆動関係を具体的に説明すれば、駆動モータＭの回転力を減速機５１で減速した状態で、細長い回転体１０の一側の下部に回転体１０の長手方向に沿って設置されたシャフト５０を回転する。上記のようなシャフト５０の回転によって、シャフトに所定の間隔で設置された駆動ギア５２が上記回転体１０の複数の支持リング２０の外周縁に結合されたリングギヤ３０を補助支持台４０の上の連動ギア４２を通じて回転させる。このように、回転体１０の複数の支持リング２０に設置されたリングギヤ３０を全体的に回転させるので、上記回転体１０が回転する。
【００３８】
この場合、上記回転体１０は、ある部分に動力を伝達するのではなく、全体的に一定に動力を伝達して、捻れや作動負荷の発生を防止する。
【００３９】
さらに、上記回転体１０は、一部の支持リング２０が、補助支持台４０’の案内ロール４１に支持されて回転し、一部の支持リング２０の外周縁に結合されたリングギヤ３０が補助支持台４０の連動ギア４２に噛合された状態に支持されて回転するので、回転体１０の垂れを防止する。
【００４０】
また、上記回転体１０は、複数の支持リング２０の内側及び外側の円周上に交互に設置された連結フック５５で補強ワイヤ５６を「一」字状または「Ｘ」字状に連続的に連結しながら、回転体１０の垂れを防止する。このように、上記回転体１０の垂れが防止されながら、上記回転体１０は全体的に捻れや作動負荷の発生がさらに防止される。
【００４１】
従って、上記回転体１０は、長手方向に最大の長さを有するように製作しても、全体的に一定に回転しながら作動するので、装置の使用效率をさらに向上することができる。
【００４２】
また、本発明は、上記回転体１０の支持リング２０に結合されるリングギヤ３０を分割組み立て式、即ち円周上に等角で分割された分割ギア３２に形成して、上記分割ギア３２の両端に形成された突起部３３及び凹部３４によって挿入されるように連結して設置されるので、部分的に損傷された時、上記分割ギア３２のみを取り替えて継続的に使用することができる。
【００４３】
また、本発明は、図１０に示したように、他の形態で実施することができる。即ち、上記回転体１０の支持リング２０と吊り棒２５とが溶接などによって結合される部位は、吊り棒の断面の広さに接合されて堅固性が脆弱な問題を、上記支持リング２０と吊り棒２５に「Ｌ」字状の補強ブラケット６０を結合して設置することにより、堅固性を向上するとともに、上記「Ｌ」字状の補強ブラケット６０の端部が上記吊り棒２５に設置される栽培トレイ２６の支持台２７が支持リング側に移動することを防止するように係止作動する役割を果たす。
【００４４】
即ち、回転体１０が回転する時、上記栽培トレイ２６が遊動して支持リング２０側に移動する時、支持リング２０との衝突で栽培トレイが引っ繰り返るなどの誤作動が発生する虞があるが、上記「Ｌ」字状の補強ブラケット６０が、栽培トレイ２６が支持リング２０側に移動するのを制限して上記問題を解決することができる。
【００４５】
また、本発明は、図１１に示したように、他の形態で実施することができる。即ち、上記回転体１０の下部へ水が流れる水槽７０を形成して、スプリンクラーなしに栽培トレイ２６上の植物に水分を供給したり、その他水耕栽培を行うことができる。
【００４６】
即ち、上記回転体１０の下部に別途の水槽を形成したり、地面に畝間を形成したりして水槽を形成して水が流れるようにすれば、上記回転体１０が回転時に上記回転体の吊り棒２５に吊り下げられて回転する栽培トレイ２６が交互に繰り返して水槽７０に浸りながら栽培トレイ２６で栽培される植物に充分な水分を供給する。
【００４７】
また、本発明は、図１２に示したように、他の形態で実施することができる。即ち、各支持リング２０の内側に離間するように補助支持リング２０’を固設するが、上記各補助支持リング２０’は円周上に等間隔に設置される吊り棒２５’で連結されて、上記吊り棒２５’の上に各種の植物を栽培する栽培トレイ２６’を設置して回転しながら栽培するように構成される。
【００４８】
即ち、外側の各支持リング２０に連設された吊り棒２５に設置される栽培トレイ２６とともにその内側の各補助支持リング２０’に連設された吊り棒２５’に設置される栽培トレイ２６’を回転しながら植物を栽培することによって、さらに効率的に空間を活用することができる。
【００４９】
この場合、上記外側の支持リング２０の上に設置される栽培トレイ２６の植物より内側の補助支持リング２０’の上に設置される栽培トレイ２６’が、植物が内側に位置しながら、日照量が少なく作用するため、上記栽培トレイ２６’には日照量が少なくとも成長のよい陰地植物を分けて栽培することがより效率的である。
【００５０】
従って、上記のような本発明の装置は、ビニールハウスやガラス温室のように制限された空間で各種の植物（蔬菜類、野菜類、水耕類など）が栽培される栽培トレイを上下に回転移動しながら栽培するので、各栽培トレイの植物に成長環境及び栄養をバランスよく供給することができて、品質及び味が優れた状態で栽培することができる。
【００５１】
さらに、上記回転体１０を効率的に回転することによって、長手方向に最大の長さに製作して使用することができることによって、空間の效率性、経済性を図るとともに、使用上の信頼性も高くなる。
【００５２】
また、上記本発明の装置は、上述した植物を栽培する以外に、回転体の吊り棒で各種の商品を陳列する陳列台を吊り下げて設置するので、上記陳列台が回転移動しながら複数の物を同時に陳列するように使用するとともに、その他の多様な用途で使用することができる。
【図１】
2010524461.tif 000003
【図２】
2010524461.tif 000004
【図３】
2010524461.tif 000005
【図４】
2010524461.tif 000006
【図５】
2010524461.tif 000007
【図６】
2010524461.tif 000008
【図７】
2010524461.tif 000009
【図８】
2010524461.tif 000010
【図９】
2010524461.tif 000011
【図１０】
2010524461.tif 000012
【図１１】
2010524461.tif 000013
【図１２】
2010524461.tif 000014
【図１３】
2010524461.tif 000015
【国際調査報告】
2010524461.tif 000016
2010524461.tif 000017
2010524461.tif 000018